(57)【要約】【課題】把持し易く、且つ、転倒させても故障しにくい電動氷かき器を提供する。【解決手段】電動氷かき器１は、電動機４が内蔵された本体２と、貫通孔６の近傍に切削刃７が設けられた、本体２に対し着脱可能な容器３と、この容器３内に設けられた氷用容器５５と、電動機４によって回転させられる回転部たる円盤部５とを有する。本体２に、容器３の最大径部１３Ａよりも細経となる括れ部１４を設けたから、括れ部１４を使用者が把持することで、使い易くすることができると共に、括れ部１４よりも下方の容器３の径を大きくすることができるので、この容器３に収容できる氷の量が少なくならないようにすることができる。また、括れ部１４の内部に、容器３の着脱状態を検知する検知部６１を設けたから、電動氷かき器１が倒れた状態で、容器３内の氷が融けて水が生じても、この水が検知部６１に進入し難いようにすることができる。【選択図】図１
2016156555.tif 000002
【特許請求の範囲】
【請求項１】
電動機が内蔵された本体と、貫通孔が設けられると共にこの貫通孔の近傍に切削刃を有する、前記本体に対し着脱可能な容器と、この容器内に設けられた氷用容器と、前記電動機によって回転させられる回転部とを有する電動氷かき器において、
前記本体に、前記容器の最大径部よりも細経となる括れ部を設けたことを特徴とする電動氷かき器。
【請求項２】
前記括れ部の内部に、前記容器の着脱状態を検知する検知部を設けたことを特徴とする請求項１記載の電動氷かき器。
【請求項３】
前記本体の下壁部に下壁貫通孔を設け、この下壁貫通孔を通って前記検知部が設けられると共に、
前記本体と前記容器に同時に接する仮想直線から前記下壁貫通孔までの距離を、前記仮想直線から前記氷用容器の内面までの距離よりも大きくしたことを特徴とする請求項２記載の電動氷かき器。
【請求項４】
前記容器における前記本体側に、堰部を設けたことを特徴とする請求項３記載の電動氷かき器。
【請求項５】
前記本体における下壁部よりも前記容器側に、堰部を設けたことを特徴とする請求項３記載の電動氷かき器。
【発明の詳細な説明】
【技術分野】
【０００１】
本発明は、手で把持して使用可能な電動氷かき器に関するものである。
【背景技術】
【０００２】
従来、この種の電動氷かき器としては、モータが内蔵された本体部と、この本体部に対し着脱可能であると共に、カッタ及びカッタで削られた氷を落下させるためのスリットが底部に設けられた、氷を収容可能な有底筒状の容器部と、前記容器部内で氷を前記カッタに押しつけながら前記モータによって回転させられる押圧部とを備えたものが知られている（例えば、特許文献１参照。）。そして、このように構成することにより、皿等の容器の所望の場所に対して削られた氷を直接盛りつけることができる。
【先行技術文献】
【特許文献】
【０００３】
【特許文献１】実用新案登録第３１８００２３号公報
【発明の開示】
【発明が解決しようとする課題】
【０００４】
このような電動氷かき器は、手で把持して使用できるよう、細長い筒状に形成されることが望ましい。しかしながら、このような電動氷かき器を細くし過ぎると、容器部内に収容できる氷の量が少なくなってしまうという問題がある。また、このような電動氷かき器は、細長い筒状に形成されるので、手で把持して使用している際には問題ないが、テーブル等に置いた際に、倒れてしまう虞がある。そして、この電動氷かき器を倒れたままにしておくと、氷が融けて水が生じる。この種の電動氷かき器には、容器部が取り付けられていない状態で押圧部が回転しないよう、本体に検知部が設けられるので、水が検知部から本体部内に流入してしまい、本体が故障してしまう虞がある。
【０００５】
本発明は以上の問題点を解決し、把持し易く、且つ、転倒させても故障しにくい電動氷かき器を提供することを目的とする。
【課題を解決するための手段】
【０００６】
本発明の請求項１に記載の電動氷かき器は、電動機が内蔵された本体と、貫通孔が設けられると共にこの貫通孔の近傍に切削刃を有する、前記本体に対し着脱可能な容器と、この容器内に設けられた氷用容器と、前記電動機によって回転させられる回転部とを有する電動氷かき器において、前記本体に、前記容器の最大径部よりも細経となる括れ部を設けたものである。
【０００７】
また、本発明の請求項２に記載の電動氷かき器は、請求項１において、前記括れ部の内部に、前記容器の着脱状態を検知する検知部を設けたものである。
【０００８】
また、本発明の請求項３に記載の電動氷かき器は、請求項２において、前記本体の下壁部に下壁貫通孔を設け、この下壁貫通孔を通って前記検知部が設けられると共に、前記本体と前記容器に同時に接する仮想直線から前記下壁貫通孔までの距離を、前記仮想直線から前記氷用容器の内面までの距離よりも大きくしたものである。
【０００９】
また、本発明の請求項４に記載の電動氷かき器は、請求項３において、前記容器における前記本体側に、堰部を設けたものである。
【００１０】
更に、本発明の請求項５に記載の電動氷かき器は、請求項３において、前記本体における下壁部よりも前記容器側に、堰部を設けたものである。
【発明の効果】
【００１１】
本発明の請求項１に記載の電動氷かき器は、以上のように構成することにより、前記括れ部を使用者が把持することで、使い易くすることができると共に、前記括れ部よりも下方の前記容器の径を大きくすることができるので、この容器に収容できる氷の量が少なくならないようにすることができる。
【００１２】
なお、前記括れ部の内部に、前記容器の着脱状態を検知する検知部を設けることで、電動氷かき器が倒れた状態で、前記容器内の氷が融けて水が生じても、この水が前記検知部に進入し難いようにすることができる。
【００１３】
また、前記本体の下壁部に貫通孔を設け、この貫通孔を通って前記検知部が設けられると共に、前記本体と容器に同時に接する仮想直線から前記貫通孔までの距離を、前記仮想直線から前記容器の内面までの距離よりも大きくすることで、電動氷かき器が倒れた状態で、前記容器内の氷が融けて水が生じても、この水が前記検知部に、より一層進入し難いようにすることができる。
【００１４】
また、前記容器における前記本体側に、堰部を設けることで、電動氷かき器が倒れた状態で、前記容器内の氷が融けて水が生じても、この水が前記堰部で遮られて、前記検知部に、より一層進入し難いようにすることができる。
【００１５】
更に、前記本体における下壁部よりも前記容器側に、堰部を設けることで、電動氷かき器が倒れた状態で、前記容器内の氷が融けて水が生じても、この水が前記堰部で遮られて、前記検知部に、より一層進入し難いようにすることができる。
【図面の簡単な説明】
【００１６】
【図１】本発明の実施例１を示す電動氷かき器の断面図である。
【図２】同、検知部廻りの拡大断面図である。
【図３】同、電動氷かき器の斜視図である。
【図４】同、電動氷かき器の底面図である。
【図５】同、倒れた状態における電動氷かき器の断面図である。
【図６】本発明の実施例２を示す電動氷かき器の要部の断面図である。
【発明を実施するための形態】
【００１７】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１８】
以下、本発明の実施例１について、図１〜図５に基づいて説明する。１は本発明の電動氷かき器である。この電動氷かき器１は、上部の本体２と、前記本体２に対し着脱可能な下部の容器３と、前記本体２に内蔵した電動機４と、前記電動機４によって回転させられる回転部たる円盤部５と、前記本体２に設けられた貫通孔６と、この貫通孔６の近傍に設けた切削刃７とを有する。なお、本体２と容器３は合成樹脂などからなる。また、本体２と容器３の中心線は同軸線上に位置する。
【００１９】
前記本体２は、上部に湾曲面１１からなる上面部１２を有し、この上面部１２の下部に本体筒状部１３を有し、この本体筒状部１３は外面に位置する。前記本体筒状部１３は高さ方向の中央よりもやや下方が細くなる湾曲状の括れ部１４を有する。前記本体筒状部１３は上端が本体２の最大径部１３Ａであり、前記本体筒状部１３の下端部１３Ｂは前記括れ部１４より大径で前記最大径部１３Ａより小径である。
【００２０】
また、前記本体２の内部には、横板状の上，下仕切り部１５，１６が設けられ、下部は下壁部１７により閉塞されている。前記上仕切り部１５の上の上内部空間１８に前記電動機４が設けられ、前記上，下仕切り部１５，１６の下内部空間１９に減速機構たる減速ギヤ群２０が設けられ、前記減速ギヤ群２０に前記電動機４の駆動ギヤ４Ａが歯合する。また、上，下仕切り部１５，１６に駆動伝達軸２１が回動可能に軸支され、前記駆動伝達軸２１の下端が前記下仕切り部１６の下部に突出している。
【００２１】
前記駆動伝達軸２１の下端には、該駆動伝達軸２１と同体的に回転する回転体２２が連結されている。前記回転体２２は、上部の回転筒部２３と、下部の回転軸２４と、この回転軸２４の下端に設けた前記円盤部５とを有する。前記下壁部１７には、前記回転筒部２３を回動自在に支持する軸受部２５を設け、この軸受部２５は短筒状をなす。また、前記回転筒部２３には前記軸受部２５の上縁に摺動する摺動鍔部２６を設け、前記軸受部２５と前記摺動鍔部２６により、前記回転筒部２３が下壁部１７に回転可能に支持される。
【００２２】
また、前記駆動伝達軸２１の下端には回転伝達部２１Ａを設け、この回転伝達部２１Ａにより前記駆動伝達軸２１の回転が回転体２２の回転筒部２３に伝達される。前記回転筒部２３の下部には板状の仕切り部２７を設け、この仕切り部２７に透孔２８を穿設し、この透孔２８に連続して前記仕切り部２７の下部にガイド筒部２９を設けている。そして、前記透孔２８及び前記ガイド筒部２９に前記回転軸２４の上部を挿通し、前記回転軸２４の上部に、抜け止め部たる抜け止めピン３０を設ける。
【００２３】
また、前記仕切り部２７と前記円盤部５との間には付勢手段たる圧縮コイルバネ３１を配置し、前記圧縮コイルバネ３１により前記回転筒部２３に対して回転軸２４及び円盤部５を下方に付勢している。また、前記抜け止めピン３０は回転伝達部であり、前記抜け止めピン３０が前記回転筒部２３の内面に設けた縦溝（図示せず）に係合して回転筒部２３の回転が回転軸２４に伝達される。また、前記縦溝に沿って抜け止めピン３０は上下に移動可能であり、前記圧縮コイルバネ３１を圧縮することにより、回転軸２４及び円盤部５が上昇可能となる。
【００２４】
前記本体筒状部１３の上部側面には、押しボタン式の駆動スイッチ３２が設けられ、この駆動スイッチ３２を操作して押すことにより、前記電動機４をオン・オフにすることができ、前記電動機４は電源コード４Ｂにより家庭用電源に接続され、家庭用電源により駆動する。また、前記駆動スイッチ３２は、付勢手段たる圧縮コイルバネ３３により外向きに付勢され、オン・オフ時とも本体筒状部１３の外周より外側に突出している。
【００２５】
また、前記円盤部５には、その下面に氷と接触するための押圧面３４が形成されており、この押圧面３４には、氷との引っかかりを強めるための爪部３５が複数形成されている。
【００２６】
前記容器３は、外面に容器筒状部４１を有し、この容器筒状部４１は略円筒形で、上方に向かって湾曲状に縮径する形状をなし、その上端部４１Ａの外面が前記本体筒状部１３の下端部１３Ｂの外面と面一になる。また、本体２と容器３とは、バヨネット結合構造４２によって着脱可能に組み立てられる。
【００２７】
具体的には、容器筒状部４１の上端部４１Ａの内側にリング状の堰部４３を設け、この堰部４３の内端から上方に容器内筒部４４を突設し、一方、本体筒状部１３内の下部に本体内筒部４５を設け、それら容器内筒部４４及び本体内筒部４５は全長に渡って略同一断面を有する。そして、この例では容器３における本体２側に前記堰部４３が配置されている。
【００２８】
前記容器内筒部４４の上端外周には、円周方向に等間隔で複数のバヨネット用突起４６が設けられ、前記本体内筒部４５の内周には、前記バヨネット用突起４６に対応して、バヨネット用溝４７が設けられている。前記バヨネット用溝４７は、前記本体内筒部４５の下縁に開口する溝入口（図示せず）と、この溝入口に連通すると共に前記本体内筒部４５の外周に沿って円周方向に延設された係止溝部（図示せず）を有する。
【００２９】
そして、前記本体内筒部４５に前記容器内筒部４４を挿入するようにして、前記バヨネット用突起４６を前記溝入口に挿入し、前記容器３を前記係止溝部の延設方向に回すことにより、バヨネット用溝４７の前記係止溝部に前記バヨネット用突起４６が係止する。これによって、前記容器３と前記本体２とが結合される。また、前記容器３を逆に回して前記本体２から取り外すことができる。
【００３０】
前記容器筒状部４１の下部は底面部５１により塞がれ、この底面部５１に前記貫通孔６が設けられ、前記底面部５１の下部に前記切削刃７が設けられ、この切削刃７の刃部が前記貫通孔６から前記底面部５１に臨んでいる。また、前記切削刃７の位置を調整する回転式摘み５２が設けられ、この摘み５２を操作することにより切削刃７の底面部５１上の突出量を調整することができる。
【００３１】
また、前記容器筒状部４１の下部には着座筒部５３が設けられ、この着座筒部５３の外周に、弾性材料からなるリング保護体５４を設け、このリング保護体５４により着座筒部５３を保護している。そして、リング保護体５４は着座筒部５３の外周を覆うリング部５４Ａと、着座筒部５３の底面に設ける底面部５４Ｂとを一体に備える。なお、リング保護体５４のリング部５４Ａの外周の最大径部５４Ｃは容器筒状部４１の下部の外周より大きく形成されている。
【００３２】
前記容器３内には、円筒状の氷用容器５５が設けられ、この氷用容器５５の底部は前記底面部５１に設けられ、内部に前記円盤部５が遊挿される。また、前記氷用容器５５の外周と前記容器筒状部４１の内周との間には隙間５６が設けられている。
【００３３】
前記括れ部１４の内部に、前記容器３の着脱状態を検出する検知部６１を設けている。具体的に、前記本体２には、前記下仕切り部１６の下方にスイッチ収納室６２を設け、このスイッチ収納室６２は、四方を囲む側面部６２Ａと、この側面部６２Ａの下部を塞ぐ下面部６２Ｂとにより囲まれ、内部に検知スイッチ６３が配置されている。
【００３４】
前記検知部６１は前記検知スイッチ６３の操作子であって、前記本体２の中心に対して前記駆動スイッチ３２と同一の側に配置されている。また、前記検知部６１は、前記下面部６２Ｂに穿設した透孔６２Ｃに挿通する基端部６４と、前記下壁部１７に穿設した下壁貫通孔１７Ａに挿通する先端部６５とを一体に有し、基端部６４と先端部６５は平面において偏心した位置にあり、基端部６４の軸心が中央側で、先端部６５の中心が外側に位置する。また、前記先端部６５には、付勢手段たる圧縮コイルバネ６６が外装され、この圧縮コイルバネ６６は、前記下面部６２Ｂと前記先端部６５の間に配置され、前記検知部６１を下方に付勢している。また、検知部６１の基端には、前記透孔６２Ｃより径大な抜け止め部６７が設けられ、この抜け止め部６７は基端部６４に螺着したビス６７Ａにより取り付けられている。なお、ビス６７Ａ自体がフランジ状の抜け止め部６７を一体に有しても良い。
【００３５】
前記容器３の上部には、前記容器内筒部４４より上方に、当接部たる上縁部６８が設けられ、前記バヨネット結合構造４２が結合した際に、前記上縁部６８が前記検知部６１の先端部６５を押し上げ、圧縮コイルバネ６６の付勢に抗して検知部６１が上方に移動することにより検知スイッチ６３がオンとなり、本体２に容器３を取付けたことを検知することができ、先端部６５が押されていない状態では、検知スイッチ６３がオフとなり、本体２から容器３を取り外したことが検知される。
【００３６】
そして、検知スイッチ６３がオンになっていることを条件として前記駆動スイッチ３２により電動機４を駆動することができ、検知スイッチ６３がオフの状態では前記駆動スイッチ３２を操作しても電動機４は駆動しない。即ち、検知スイッチ６３がオンを条件として電動機４に電力が供給され、検知スイッチ６３がオフの状態では電動機４に電力が供給されないように構成している。また、電動機４は駆動スイッチ３２を押した状態で駆動し、手を放して押すことを止めると、電動機４の駆動が停止するように構成してもよい。
【００３７】
図１などに示すように、前記検知スイッチ６３及び前記検知部６１は本体２の中心に対して直径方向一側に配置されている。また、図５に示すように、本体２及び容器３の中心と検知部６１の先端部６５の中心を含む平面において、本体２及び容器３の外面側で直径方向一側が接する仮想直線Ｋから前記下壁貫通孔１７Ａまでの距離Ｌを、前記仮想直線Ｋと前記氷用容器５５の内面５５Ｎまでの距離Ｌ１より大きくしている。なお、仮想直線Ｋと内面５５Ｎが平行でない場合は、内面５５Ｎの上端位置までの距離Ｌ１を用いることができる。更に、仮想直線Ｋから前記堰部４３の内端までの距離Ｌ２は、距離Ｌよりも大きい。
【００３８】
前記電動氷かき器１は、別体で合成樹脂などからなる台座体７１を備える。この台座体７１は平面円形の底面部７２と、この底面部７２の周囲から立設した筒状の内壁部７３と、この内壁部７３と上端に周設したリング状の連結部７４と、この連結部７４から下方に垂設した外壁部７５とを一体に備え、この外壁部７５の下部は下方に向かって拡大するように湾曲形成されている。また、前記底面部７２の下部には複数の脚部７６が設けられている。
【００３９】
そして、前記内壁部７３の内径が前記リング保護体５４の最大径部５４Ｃと略等しく、台座体７１の内壁部７３内に前記容器３の下部が着脱自在に内嵌され、底面部７２の上に着座筒部５３の下面が載置される。このように着座筒部５３に比べて大きい台座体７１を用いることにより電動氷かき器１を安定して立てることができ、更に、貫通孔６にごみなどが侵入することを防止できると共に、氷用容器５５内で生じた水が貫通孔６から落下しても、この水を台座体７１により受けて外部に漏れることを防止できる。
【００４０】
次に、前記電動氷かき器１の使用方法について説明する。本体２と容器３とを分離し、容器内筒部４４の上部開口４４Ａから容器３内の氷用容器５５内に氷（図示せず）を入れる。容器３を取り付ける前の状態では、圧縮コイルバネ６６の付勢により検知部６１の先端部６５が下壁貫通孔１７Ａから下方に突出しており、検知部６１が容器３を検知しないため、駆動スイッチ３２を操作しても電動機４が駆動することがない。なお、前記上部開口４４Ａは前記容器内筒部４４に内周面により構成され、前記上部開口４４Ａの直径に比べて氷用容器５５の内径が大きい。
【００４１】
氷用容器５５に氷を入れた後、容器３に本体２を取り付ける。この場合、上部開口４４Ａを通して円盤部５を氷用容器５５内に挿入し、円盤部５が氷に当たると、圧縮コイルバネ３１が収縮し、本体２に対して回転軸２４及び円盤部５が上昇する。そして、バヨネット結合構造４２により容器３に本体２を取り付けると、容器３の上縁部６８が先端部６５の下端を押し、検知部６１が押し上げられて、本体２に容器３が取り付けられたことを検知スイッチ６３が検知する。
【００４２】
検知スイッチ６３が、本体２に容器３が取り付けられたことを検知すると、駆動スイッチ３２を操作することにより、電動機４が駆動可能となる。この状態で、使用者が前記本体２を把持し、駆動スイッチ３２を操作することで、前記電動機４が回転し、この回転が減速ギヤ群２０により減速されて円盤部５が回転し、円盤部５の回転により氷用容器５５内の氷が押し付けられて回転し、氷が切削刃７により削られて貫通孔６から落下する。なお、使用者は、前記本体２において細く形成された、把持しやすい括れ部１４を把持することができる。
【００４３】
また、使用時以外は台座体７１を用いて安定して立てておくことができる。一方、電動氷かき器１を倒し、図４に示すように、検知部６１側が下側になったことに気付かず、氷用容器５５内の氷が融けて水が生じても、下壁貫通孔１７Ａに設けた検知部６１が括れ部１４に設けられ、転倒時に本体２及び容器３が接する仮想直線Ｋ（即ち設置面）から前記下壁貫通孔１７Ａまでの距離Ｌが、前記仮想直線Ｋ（即ち設置面）から氷用容器５５の内面５５Ｎまでの距離Ｌ１より大きく、更に、容器３に堰部４３を設け、仮想直線Ｋ（即ち設置面）から前記堰部４３の内端までの距離Ｌ２を、距離Ｌよりも大きくしたため、下壁貫通孔１７Ａに水が浸入し難くなる。
【００４４】
以上のように本実施例では、電動機４が内蔵された本体２と、貫通孔６が設けられると共にこの貫通孔６の近傍に切削刃７を有する、本体２に対し着脱可能な容器３と、この容器３内に設けられた氷用容器５５と、電動機４によって回転させられる回転部たる円盤部５とを有する電動氷かき器１において、本体２に、容器３の最大径部１３Ａよりも細経となる括れ部１４を設けたから、括れ部１４を使用者が把持することで、使い易くすることができると共に、括れ部１４よりも下方の容器３の径を大きくすることができるので、この容器３に収容できる氷の量が少なくならないようにすることができる。
【００４５】
また、括れ部１４の内部に、容器３の着脱状態を検知する検知部６１を設けたから、電動氷かき器１が倒れた状態で、容器３内の氷が融けて水が生じても、この水が検知部６１に進入し難いようにすることができる。
【００４６】
また、本体２の下壁部１７に下壁貫通孔１７Ａを設け、この下壁貫通孔１７Ａを通って検知部６１が設けられると共に、本体２と容器３に同時に接する仮想直線Ｋから下壁貫通孔１７Ａまでの距離Ｌを、仮想直線Ｋから氷用容器５５の内面５５Ｎまでの距離Ｌ１よりも大きくしたから、電動氷かき器１が倒れた状態で、容器３内の氷が融けて水が生じても、この水が検知部６１に、より一層進入し難いようにすることができる。
【００４７】
また、容器３における本体２側に、堰部４３を設けたから、電動氷かき器１が倒れた状態で、容器３内の氷が融けて水が生じても、この水が堰部４３で遮られて、検知部６１により一層進入し難いようにすることができる。
【００４８】
以下、実施例上の効果として、本体２の最大径部より容器３の最大径部が大きいから、容器３の容積効率に優れる。また、電動氷かき器１の高さ方向において、括れ部１４が中央より上方に位置するから、括れ部１４を片手で握った状態で、親指を用いて駆動スイッチ３２を操作することもできる。また、電源コード４Ｂを本体２の括れ部１４の位置より上部に設けたから、削った氷を受ける皿等に電源コード４Ｂが当たることがない。更に、氷用容器５５の外周と容器筒状部４１の内周との間には隙間５６を設けたから、電動氷かき器１が倒れても、氷用容器５５の内部の水が隙間５６に流れ、下壁貫通孔１７Ａ側に侵入し難くなる。なお、前記隙間５６は直径方向において１０ｍｍ以上とすることが好ましく、括れ部１４を設けることにより隙間５６の空間を確保することができる。また、別体で台座体７１を備えることにより、電動氷かき器１を安定して立てることができる上に、貫通孔６からごみなどが侵入することを防止できると共に、氷用容器５５内で生じた水が貫通孔６から落下しても、この水を台座体７１により受け止めることができる。更に、前記上部開口４４Ａの直径に比べて氷用容器５５の内径が大きいから、従来に比べて氷を多く収納することができる。
【実施例２】
【００４９】
図６は実施例２を示しており、前記実施例１と同一部分には同一符号を付し、その詳細な説明を省略する。実施例２では、実施例１に比べて、容器３を低く、本体２を高く形成し、この本体２における前記容器３側に、堰部４３を設けている。
【００５０】
また、容器筒状部の上端部４１Ａには内段部８１を設け、この内段部８１の内端から容器内筒部４４を突設し、この容器内筒部４４の上端外周に、円周方向に等間隔で複数のバヨネット用突起４６が設けられている。一方、本体筒状部１３の下端部１３Ｂ側内周には、前記バヨネット用突起４６に対応して、バヨネット用溝４７が設けられている。
【００５１】
前記堰部４３の上部には筒部８２を突設し、この筒部８２に案内軸８３を挿通し、この案内軸８３の下端に伝達部材８４を連結している。この伝達部材８４は横方向の横辺８５と、縦方向の縦辺８６とを一体に有する。また、前記横辺８５の上面に前記案内軸８３が一体に形成される。そして、前記案内軸８３が、前記下壁貫通孔１７Ａを挿通して下方に突設された図示しない検知部に当接する。また、前記縦辺８６の下端部８６Ａは前記本体筒状部１３の内面に沿って配置され、前記本体２に前記容器３を取り付けた際に、前記容器内筒部４４の上縁部４４Ｂに当接する。また、前記筒部８２と横辺８５との間には付勢手段たる圧縮コイルバネ８７が配置され、この圧縮コイルバネ８７により前記伝達部材８４を下方に付勢している。更に、横辺８５の下面と縦辺８６の内面とを連結する補強リブ８８が前記伝達部材８４に設けられている。
【００５２】
前記案内軸８３の上部には、ビス６７Ａにより抜け止め部６７が設けられている。なお、ビス６７Ａ自体がフランジ状の抜け止め部６７を一体に有しても良い。また、前記下壁部１７には、前記ビス６７Ａの頭部を挿入する透孔１７Ｂが穿設されている。
【００５３】
そして、前記抜け止め部６７が下壁部１７の下面に当接する位置が伝達部材８４の上限位置であり、逆に、抜け止め部６７が筒部８２の上面に当接する位置が伝達部材８４の下限位置である。
【００５４】
使用において、図６に示すように、本体２に容器３を取り付けると、容器内筒部４４の上縁部４４Ｂが縦辺８６の下端部８６Ａを押し上げ、圧縮コイルバネ８７が収縮し、伝達部材８４と共に図示しない検知部が押し上げられて、本体２に容器３が取り付けられたことを検知スイッチ６３が検知する。
【００５５】
一方、本体２から容器３を外すと、圧縮コイルバネ８７及び検知部のための図示しない付勢手段により、伝達部材８４と共に検知部が下がり、検知スイッチ６３がオフとなり、本体２から容器３を取り外したことが検知される。
【００５６】
このように本実施例は上記実施例１と同様な作用・効果を奏する。
【００５７】
更に、本実施例では、本体２における下壁部１７よりも容器３側に、堰部４３を設けたから、電動氷かき器１が倒れた状態で、容器３内の氷が融けて水が生じても、この水が堰部４３で遮られて、検知部６１に、より一層進入し難いようにすることができる。
【００５８】
なお、本発明は以上の実施例に限定されるものではなく、発明の要旨の範囲内で種々の変形実施が可能である。例えば、上記実施例では、リング状の堰部を示したが、検知部側にのみ堰部を設けてもよい。また、実施例では家庭用電源を用いるものを示したが、電池を電源としてもよい。
【符号の説明】
【００５９】
１  電動氷かき器
２  本体
３  容器
４  電動機
５  円盤部（回転部）
６  貫通孔
７  切削刃
１４  括れ部
１７  下壁部
１７Ａ  下壁貫通孔
５４Ｃ  最大径部
５５  氷用容器
６１  検知部
６５  先端部
Ｋ  仮想直線
Ｌ  距離
Ｌ１  距離
【図１】
2016156555.tif 000003
【図２】
2016156555.tif 000004
【図３】
2016156555.tif 000005
【図４】
2016156555.tif 000006
【図５】
2016156555.tif 000007
【図６】
2016156555.tif 000008